(57)【要約】【課題】検鏡者の標本視認性や作業性を劣化させることなく、高精度かつ軽量化を両立しうる顕微鏡装置を提供する。【解決手段】本発明の顕微鏡装置１００は、アーム部１ｃにより支持される対物レンズ３等により、スタンド２上に置かれた標本の像を拡大して観察する顕微鏡装置１００において、アーム部１ｃは、ステージ２を保持するスタンド部１ｂの上部から顕微鏡装置１００の前面側に延出する２つのアーム１ｃ−１、１ｃ−２により構成され、２つのアーム１ｃ−１、１ｃ−２には、検鏡者が把持しうる把持部８がそれぞれ形成されることを特徴とする。【選択図】図２
2015222381.tif 000002
【特許請求の範囲】
【請求項１】
アーム部により支持される光学系により、ステージ上に置かれた標本の像を拡大して観察する顕微鏡装置において、
前記アーム部は、前記ステージを保持するスタンド部の上部から顕微鏡装置の前面側に延出する２つのアームにより構成され、
前記２つのアームの下部には、検鏡者が把持しうる把持部がそれぞれ形成されることを特徴とする顕微鏡装置。
【請求項２】
前記２つのアームがなす角度は、１０〜３０°であることを特徴とする請求項１に記載の顕微鏡装置。
【請求項３】
前記アーム部は、前記ステージ上面と１０〜３０°の角度をなすように延出することを特徴とする請求項１または２に記載の顕微鏡装置。
【請求項４】
前記把持部は、延出方向に沿ってなめらかな凹凸形状をなすことを特徴とする請求項１〜３のいずれか一つに記載の顕微鏡装置。
【請求項５】
前記把持部は、弾性を有する材料および／または前記アームと異なる色彩であることを特徴とする請求項１〜４のいずれか一つに記載の顕微鏡装置。
【発明の詳細な説明】
【技術分野】
【０００１】
本発明は、光学系を支持するアームを有する顕微鏡装置に関する。
【背景技術】
【０００２】
従来、対物レンズ、接眼レンズ、ステージおよび光源等を基本構成として備える顕微鏡装置は、種々のデザインのものが製作されている。顕微鏡装置において、明瞭な像の観察を保証するため、本体の剛性を高める必要があり、本体は通常金属で構成されている。したがって、重量が大きく、人力により顕微鏡装置を移動させる場合、持ち難いと移動が容易ではないという問題を有していた。
【０００３】
この問題を解決するための技術として、顕微鏡本体の背面側であって、顕微鏡本体の重心よりも上方に位置に設けられる第１の保持手段と、前記重心を挟んで前記第１の保持手段と略対向する位置に設けられる第２の保持手段とを備えた顕微鏡装置が開示されている（例えば、特許文献１参照）。
【０００４】
また、アームの内側部分に、検鏡者が把持する溝状の嵌め込み部分を有する顕微鏡装置が開示されている（例えば、特許文献２参照）。
【先行技術文献】
【特許文献】
【０００５】
【特許文献１】特開２０１１−２２１１０４号公報
【特許文献２】米国特許出願公開第２００５／０２１３２００号明細書
【発明の概要】
【発明が解決しようとする課題】
【０００６】
しかしながら、特許文献１では、第１の保持手段の指掛けは突出部の下面に形成されるとともに、第２の保持手段の指掛けもベース下面に形成されるため、初心者には持ち手部分を認識できない場合がある。また、第２の保持手段の指掛けを保持する際、顕微鏡を傾けた後、指掛け内に指を挿入するため、顕微鏡を倒してしまうおそれがあった。
【０００７】
一方、特許文献２では、嵌め込み部の溝の大きさは曲線状のアーム部分の内側の大部分の大きさを占めるため、検鏡者により持つ位置が定まらず、上部を把持した際には人差し指が対物レンズにぶつかり、対物レンズを汚してしまうおそれがある。一方、下部を保持すると、小指をステージにぶつけたり、溝に指をはさんでしまうおそれもある。
【０００８】
本発明は、上記に鑑みてなされたものであって、検鏡者が把持部を容易に認識できるとともに、２つのアームにそれぞれ形成された把持部を把持することにより、両手で安全に持ち運びを行うことが可能な顕微鏡装置を提供することを目的とする。
【課題を解決するための手段】
【０００９】
上述した課題を解決し、目的を達成するために、本発明の顕微鏡装置は、アーム部により支持される光学系により、ステージ上に置かれた標本の像を拡大して観察する顕微鏡装置において、前記アーム部は、前記ステージを保持するスタンド部の上部から顕微鏡装置の前面側に延出する２つのアームにより構成され、前記２つのアームの下部には、検鏡者が把持しうる把持部がそれぞれ形成されることを特徴とする。
【００１０】
また、本発明の顕微鏡装置は、上記発明において、前記２つのアームがなす角度は、２１０〜３０°であることを特徴とする。
【００１１】
また、本発明の顕微鏡装置は、上記発明において、前記アーム部は、前記ステージ上面と１０〜３０°の角度をなすように延出することを特徴とする。
【００１２】
また、本発明の顕微鏡装置は、上記発明において、前記把持部は、延出方向に沿ってなめらかな凹凸形状をなすことを特徴とする。
【００１３】
また、本発明の顕微鏡装置は、上記発明において、前記把持部は、弾性を有する材料および／または前記アームと異なる色彩であることを特徴とする。
【発明の効果】
【００１４】
本発明にかかる顕微鏡装置は、アーム部を構成する２つのアームに、検鏡者が視認しやすい把持部をそれぞれ設けているので、安全に持ち運びできるという効果を奏する。
【図面の簡単な説明】
【００１５】
【図１】図１は、本発明の実施の形態にかかる正立顕微鏡装置の概略構成を示す側面図である。
【図２】図２は、図１の正立顕微鏡装置を前面左上方から見た斜視図である。
【図３】図３は、図１の正立顕微鏡のアーム部の拡大背面図である。
【図４】図４は、図１の正立顕微鏡の把持部の拡大側面図である。
【図５Ａ】図５Ａは、検鏡者が把持部を把持した際の拡大背面図である。
【図５Ｂ】図５Ｂは、検鏡者が把持部を把持した際の拡大側面図である。
【図５Ｃ】図５Ｃは、検鏡者が把持部を把持した際の拡大側面図である。
【発明を実施するための形態】
【００１６】
以下に、本発明の実施の形態にかかる顕微鏡装置を図面に基づいて詳細に説明する。なお、この実施例によりこの発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１７】
図１は、本発明の実施の形態にかかる正立顕微鏡装置の概略構成を示す側面図である。図２は、図１の正立顕微鏡装置を前面左上方から見た斜視図である。図３は、図１の正立顕微鏡のアーム部の拡大背面図である。本実施の形態では、ステージ下部から照明光を標本に照射し、アーム部により保持された対物レンズにより標本を透過した像を拡大観察する正立顕微鏡を例として説明するが、アーム部が光学系を保持する顕微鏡であれば、正立顕微鏡に限定されるものではない。なお、本明細書において、検鏡者が観察のために位置する側を顕微鏡装置の前面側、前面と対向する側を顕微鏡装置の背面側とする。
【００１８】
顕微鏡装置１００は、顕微鏡本体１に、ステージ２、レボルバ４および鏡筒５が設けられている。顕微鏡本体１は、顕微鏡装置１００の各構成部材を支持する筐体であり、アルミ合金等や、プラスチック材料から形成されたパーツの組み合わせにより構成されている。顕微鏡本体１は、図示しない照明光学系を内設するベース部１ａと、ステージ２を保持するスタンド部１ｂと、スタンド部１ｂから顕微鏡装置１００の前面側に延出させて設けられ、レボルバ４および鏡筒５を保持するアーム部１ｃとを有する。
【００１９】
鏡筒５は、アーム部１ｃの上面に着脱自在に取り付けられており、２つの接眼レンズ６を有している。観察する際、鏡筒５は接眼レンズ６が、顕微鏡装置１００の前面側になるよう取り付けられるが、鏡筒５は回転可能であり、接眼レンズ６が顕微鏡装置１００の背面側を向くように回転させ、背面側から標本を観察したり、収納することもできる。
【００２０】
レボルバ４は、アーム部１ｃの下面に取り付けられ、倍率の異なる複数の対物レンズ３が着脱自在に取り付けられている。
【００２１】
上記のように、顕微鏡装置１００は、ステージ２に標本を載置し、レボルバ４を操作して対物レンズ３を標本と対向させ、焦準ハンドル７を回動操作しながら接眼レンズ６の焦点を合わせ、標本の像を観察するものである。
【００２２】
アーム部１ｃは、スタンド部１ｂの上部から顕微鏡装置１００の前面側に延出する２つのアーム１ｃ−１およびアーム１ｃ−２により構成され、２つのアーム１ｃ−１、アーム１ｃ−２の下面には、検鏡者が把持しうる把持部８がそれぞれ形成されている。図３に示すように、アーム１ｃ−１およびアーム１ｃ−２により開口９が形成され、検鏡者が顕微鏡装置１００の背面側から標本を観察する際に、開口９を介して対物レンズ３およびステージ２上の標本が視認可能になっている。
【００２３】
アーム１ｃ−１およびアーム１ｃ−２は、一般的な検鏡者の手の大きさに合わせて、厚さ方向の長さＲ１が５０〜６０ｍｍ、幅方向の長さＲ２が２０〜３０ｍｍであることが好ましい。アーム１ｃ−１およびアーム１ｃ−２の厚さ方向の長さＲ１は、後述する把持部８の厚みを加えた場合の長さである。
【００２４】
アーム部１ｃは、ステージ２上面となす角度θ１が１０〜３０°、好ましくは２０〜３０°となるように形成される。アーム部１ｃの延出の角度がステージ２上面と平行に近い場合、腕を曲げて持つと手首に負担がかかり、手首に負担がかからないよう腕を伸ばして持つと移動の際足をぶつけるおそれがある。また、延出する角度が２０°より大きくなると、後述する把持部８の凸部からの圧力によって、人差し指にかかる負担が大きくなり痛みが生じる場合がある。
【００２５】
また、アーム１ｃ−１およびアーム１ｃ−２がなす角度θ２は、１０〜３０°、好ましくは、２０〜３０°となるように形成される。アーム１ｃ−１およびアーム１ｃ−２がなす角度θ２を１０〜３０°とすることにより、検鏡者は両腕をすぼめることなく自然に顕微鏡を把持することができる。
【００２６】
次に、２つのアーム１ｃ−１、アーム１ｃ−２の下部に設けられる把持部８について説明する。図４は、図１の正立顕微鏡１００の把持部８の拡大側面図である。図４に示すように、把持部８は、アーム１ｃの延出方向に沿ってなめらかな凹凸形状をなす。把持部８は、グリップ部分８ａと、凹部８ｂおよび凸部８ｃとを有し、検鏡者は手指によりグリップ部分８ａを包み込むように把持する。把持部８は、レボルバ４側に凸部８ｃを形成しているため、検鏡者が把持部８を把持しようとする際、凸部８ｃにより人差し指が対物レンズ３側まで挿入されず、凹部８ｂ近傍を把持することになる。これにより、手指が対物レンズ３に接触することがなく、対物レンズ３を汚すおそれがない。本実施の形態では、グリップ部分８ａを１の凸部として形成しているが、グリップ部分８ａは、手指の折り曲げ形状に対応した複数の凹部および凸部からなる形状としてもよい。
【００２７】
グリップ部分８ａのアーム部１ｃからの最大高さＲ３は６〜１０ｍｍ、凸部８ｃのアーム部１ｃからの高さＲ４は７〜１１ｍｍ程度とすることが好ましく、凹部８ｂのアーム部１ｃからの高さＲ５は７〜１０ｍｍ程度とすることが好ましい。また、グリップ部分８ａの長さＲ６は５０〜６０ｍｍ程度とすることが好ましい。
【００２８】
把持部８は、アーム部１ｃがプラスチック材料から形成される場合は、同一のプラスチック材料で形成されるほか、弾性を有する別の部材で形成してもよい。ゴム等の弾性を有する部材で把持部８を形成することにより、把持部８が検鏡者の手になじんで把持が容易となり、検鏡者の負担を軽減することができる。また、把持部８は、アーム部１ｃと異なる色彩とすることが好ましい。把持部８を、アーム部１ｃと異なる色に彩色することにより、形状だけでなく色彩でも把持部８を認識することが可能となり、誤った箇所を持つことによる事故等を低減できる。
【００２９】
検鏡者が把持部８を把持する場合の例について、図面を参照して説明する。図５Ａは、検鏡者が把持した把持部近傍の拡大背面図であり、図５Ｂは、検鏡者が把持した把持部近傍の拡大側面図である。図５Ｃは、顕微鏡装置を持ち上げる際の検鏡者による把持の例を示す拡大側面図である。なお、図５Ｂおよび図５Ｃでは、鏡筒５は顕微鏡装置１００の背面側に回転された状態を示している。
【００３０】
図５Ａに示すように、検鏡者１０は、顕微鏡装置１００の背面側から２つのアーム１ｃ−１、アーム１ｃ−２を把持する。検鏡者１０がアーム１ｃ−１、アーム１ｃ−２を把持した場合、図５Ｂに示すように、手指によりグリップ部分８ａを包み込むように把持される。グリップ部分８ａより対物レンズ３側には凸部８ｃが設けられるため、指が対物レンズ３側に挿入されないか、または誤って凸部８ｃ近傍を把持しても、把持した際の触感により、検鏡者１０は適切な把持部分であるグリップ部８ａを把持することができる。
【００３１】
顕微鏡装置１００を水平移動する場合には、図５Ａおよび図５Ｂに示すように把持部８を把持して移動できるが、顕微鏡装置１００を高い場所に持ち上げる場合は、図５Ｃに示すように、通常のグリップ部分８ａより少し背面側であって、スタンド部１ｂとアーム部１ｃとの境界部である曲げ部を把持すると、上方に持ち上げる際腕に係る負担を減らすことができる。
【産業上の利用可能性】
【００３２】
以上のように、本発明にかかる顕微鏡装置は、運搬可能な小型の顕微鏡装置に有用である。
【符号の説明】
【００３３】
１  顕微鏡本体
１ａ  ベース部
１ｂ  スタンド部
１ｃ  アーム部
１ｃ−１、１ｃ−２  アーム
２  ステージ
３  対物レンズ
４  レボルバ
５  鏡筒
６  接眼レンズ
７  焦準ハンドル
８  把持部
８ａ  グリップ部
８ｂ  凹部
８ｃ  凸部
９  開口部
１０  検鏡者
【図１】
2015222381.tif 000003
【図２】
2015222381.tif 000004
【図３】
2015222381.tif 000005
【図４】
2015222381.tif 000006
【図５Ａ】
2015222381.tif 000007
【図５Ｂ】
2015222381.tif 000008
【図５Ｃ】
2015222381.tif 000009